(57)【特許請求の範囲】
【請求項１】
第１光源と、前記第１光源から放出され測定対象を透過した第１測定光の光強度を測定する第１測定部と、第２光源と、前記第２光源から放出された光が照射された測定対象からの蛍光である第２測定光を測定する第２測定部とを備える光測定装置であって、
前記第１光源から放出された光が前記第１測定部に至るまで及び前記第２光源から放出された光が前記第２測定部に至るまでに光が通過する導光部と、
前記測定対象を保持する試料保持部と、
前記導光部及び前記試料保持部を包囲する吸光部とを備え、
前記導光部は、前記第１光源から放出される第１入射光、前記第１測定光、前記第２光源から放出される第２入射光及び前記第２測定光に対して透明な第１樹脂で構成されており、
前記試料保持部が、
前記第１入射光及び前記第２入射光を前記測定対象に導光する入射光共用導光窓と、
前記測定対象から前記第1測定部へと前記第１測定光を導光する第１測定光導光窓と、
前記測定対象から前記第２測定部へと前記第２測定光を導光する第２測定光導光窓を有する光測定装置。
【請求項２】
前記第１測定部の受光面が、前記第１測定光の光軸に対して、直交せずに傾斜していることを特徴とする請求項１記載の光測定装置。
【請求項３】
前記受光面が、前記第２入射光の光軸と前記第２測定光の光軸を含む平面に対して、直交せずに傾斜していることを特徴とする請求項２記載の光測定装置。
【請求項４】
前記導光部のうちの前記第２光源と前記試料保持部との間に、前記第２入射光の光軸を前記第１入射光の光軸と平行にする第１光学部材をさらに備える請求項１から３のいずれかに記載の光測定装置。
【請求項５】
前記試料保持部と前記第２測定部との間にあって前記第２測定光とは波長が異なる光を遮光する第２光学部材をさらに備え、
前記第１光学部材及び前記第２光学部材は、前記第１入射光を通過させると共に、前記第２入射光を反射する光学特性を有することを特徴とする請求項４記載の光測定装置。
【請求項６】
前記導光部のうちの前記試料保持部と前記第２測定部との間に、色素を有する第２樹脂からなる光学フィルタ部をさらに備える請求項１から５のいずれかに記載の光測定装置。
【請求項７】
前記光学フィルタ部の周囲に、色素拡散抑制部をさらに備える請求項６記載の光測定装置。
【請求項８】
前記光学フィルタ部と前記色素拡散抑制部との間に、前記第２測定光とは異なる波長の光を吸収する第２吸光部をさらに備える、請求項７記載の光測定装置。
【請求項９】
前記第２吸光部は、前記光学フィルタ部を構成する前記第２樹脂と同一の樹脂で構成されており、前記色素とは異なる第２色素を含むものである、請求項８記載の光測定装置。
【請求項１０】
第１光源と、前記第１光源から放出され測定対象を透過した第１測定光の光強度を測定する第１測定部と、第２光源と、前記第２光源から放出された光が照射された測定対象からの蛍光である第２測定光を測定する第２測定部とを備える光測定装置における光測定方法であって、
前記光測定装置は、
前記第１光源から放出された光が前記第１測定部に至るまで及び前記第２光源から放出された光が前記第２測定部に至るまでに光が通過する導光部と、
前記測定対象を保持する試料保持部と、
前記導光部及び前記試料保持部を包囲する吸光部とを有し、
前記導光部は、前記第１光源から放出される第１入射光、前記第１測定光、前記第２光源から放出される第２入射光及び前記第２測定光に対して透明な第１樹脂で構成されており、
前記試料保持部が、
前記第１入射光及び前記第２入射光を前記測定対象に導光する入射光共用導光窓と、
前記測定対象から前記第1測定部へと前記第１測定光を導光する第１測定光導光窓と、
前記測定対象から前記第２測定部へと前記第２測定光を導光する第２測定光導光窓を有し、
前記第１光源及び前記第２光源が、それぞれ前記第１入射光及び前記第２入射光を前記入射光共用導光窓を通じて前記測定対象に照射する照射ステップを含む、光測定方法。
【発明の詳細な説明】
【技術分野】
【０００１】
本発明は、光測定装置及び光測定方法に関し、特に、第１光源から放出され測定対象を透過した第１測定光の光強度を測定する第１測定部と、第２光源から放出された光が照射された測定対象からの蛍光である第２測定光を測定する第２測定部とを備える光測定装置等に関する。
【背景技術】
【０００２】
先に発明者らは、ライフサイエンス分野におけるポイントオブケア検査（ＰＯＣＴ）の要請に対応可能である光誘起蛍光測定装置を提案した。本測定装置は、分析が必要な現場において、検査時間が短く、かつ高精度な評価分析であるような小型かつ携帯可能なものであり、測定法としては例えばレーザ誘起蛍光法（Laser Induced Fluorescence：ＬＩＦ）が利用される。
【０００３】
ＬＩＦは、計測する対象である原子や分子の共鳴遷移を利用して励起準位に合致した（波長をチューニングした）レーザ光を照射して計測対象（原子や分子）を励起し、それによって引き起こされる発光（蛍光）を測定する手法である。蛍光の強度から測定対象の濃度が算定され、蛍光のスペクトル分布から測定対象の温度が算定される。
【０００４】
更に発明者らは、光誘起蛍光測定装置において、試料から放出される蛍光以外の光を吸収する色ガラスフィルタに換えて、色ガラスフィルタと同等の光学性能を有する有機光機能材（樹脂等の高分子物質に有機光機能材料を分散させた光学材料）を使用することを提案した。
【０００５】
従来より、オプトエレクトロニクス分野において、有機光機能材は、例えば、レーザ媒質、光学フィルタ、光デバイス等に用いられている。特許文献1においては、ポリジメチルシロキサン（以下、ＰＤＭＳとも言う）に、例えばピロメテン系色素を含有させた固体色素レーザ媒質が提案されている。また、特許文献2においては、試料が注入・排出される流路（マイクロチャンネル）を有するマイクロチップに励起光源、検出器を設けたマイクロ流体装置において、必要な波長のみを選択的に透過させる光学フィルタ領域として、ＰＤＭＳに例えばスダン色素ファミリー（Sudan dye family）に属する色素を分散させた有機光機能材が使用されている。
【０００６】
図１０に、発明者らが提案した光誘起蛍光測定装置３０１の構成例を示す。なお、本願出願時点で図１０に示す光誘起蛍光測定装置３０１は、未公知である。光誘起蛍光測定装置３０１は、レーザ光源等の固体光源３０３、被測定試料を保持する試料保持部３０５、レンズや光学フィルタ等からなる蛍光収集光学系、光電子増倍管などの蛍光測定器３０９を含む。
【０００７】
具体的には、少なくともレーザ光源（固体光源３０３）の光出射面３０７、光電子増倍管（蛍光測定器３０９）の受光面３１１は、固体光源３０３からの励起光、試料から放出される蛍光を含む光に対して透明なＰＤＭＳ等の樹脂に埋設されるか、もしくは接触する。さらに、光出射面３０７から受光面３１１までの光路に形成される蛍光収集光学系も同じく透明なＰＤＭＳ等の樹脂に埋設されており、また透明な樹脂自体が蛍光収集光学系の一部を構成する。すなわち、透明な樹脂によりレーザ光源の光出射面３０７、試料保持部３０５、蛍光収集光学系、光電子増倍管の受光面３１１が一体化して保持され、かつ、位置決めされる。
【０００８】
蛍光収集光学系は、第１のシリコーン樹脂３６５、第１の空気室３６７、第２のシリコーン樹脂３６９、ノッチフィルタ３７１、第３のシリコーン樹脂３７３、第２の空気室３７５、光学フィルタ３５１（構造物１）を有する。また、光学フィルタ３５１は、自家蛍光の迷光、ラマン光のうち測定対象である蛍光以外の光を除去するものであり、色素拡散抑制部材３７７と色素含有シリコーン樹脂３７９とを有する。
【０００９】
そして、各構成要素を一体化して保持する透明な樹脂構造は、励起光、試料保持部に励起光が照射される際に発生する自家蛍光、及び励起光が樹脂内を進行する際、樹脂から発生するラマン光を吸収する波長特性を有する顔料がほぼ一様に含有している樹脂により包囲される。すなわち、この顔料が含有されている樹脂は、試料保持部２０５、蛍光測定器２０９、及び、蛍光収集光学系等を保持する筐体２１３を構成する。
【００１０】
この顔料が含有されている樹脂には、必要に応じて、固体光源２０３や蛍光測定器２０９の少なくとも一部が埋設されるとともに、図示を省略した固体光源２０３及び蛍光測定器２０９に電力を供給する電力源が埋設される。そのため、光学素子等の位置変動が起こりにくく外部からの衝撃に対して安定であり、また光学素子を保持するホルダも不要なので、光誘起蛍光測定装置２０１は小型かつ携帯可能である。
【００１１】
また、光が透過する導光空間を包囲するシリコーン樹脂は、励起光、試料保持部に励起光が照射される際に発生する自家蛍光、及び励起光が樹脂内を進行する際、樹脂から発生するラマン光を吸収する波長特性を有する顔料をほぼ一様に含有しているので、装置外部に励起光や測定光である蛍光は放出されず、外部からの光が蛍光収集光学系等の内部に入ることもない。従って、高精度な測定が可能となる。また、励起光やその反射光・散乱光等の迷光は、一旦、顔料含有樹脂に入射すると吸収され、迷光の複雑な多重反射は殆ど発生しない。よって、蛍光収集光学系は、複雑な迷光の多重反射に対応する必要がなく簡便化され、結果的に光誘起蛍光測定装置２０１は小型化される。
【００１２】
光を利用した試料の測定分析法としては、光誘起蛍光測定の他に吸光度測定法がある。光吸光度測定法は、試料溶液に光を照射し、照射光が試料を通過する際に生じる試料溶液中の測定対象となる物質による光吸収の割合（すなわち吸光度）を測定することより、当該物質の濃度を定量的に分析する方法である。
【００１３】
通常、吸光度測定は、特定の波長の光が照射され、試料通過後の光強度を測定器（例えば、ＲＧＢセンサ）にて測定し、吸光度を測定する。なお、照射する光は特定の波長の光とは限らず、白色光を照射するようにしてもよい。
【００１４】
近年、例えば、ライフサイエンス分野において、同一の試料に対して、光誘起蛍光測定及び吸光度測定を同時に行う要請が高まっている。同時に測定することで、経時変化測定が容易となり、また、少量の試料での測定が可能となる。特に、ＰＣＲ管に採取した少量の試料について両測定を実施可能な測定器（以下、複合センサと言う。）を提供することは、ライフサイエンス分野におけるポイントオブケア検査（ＰＯＣＴ）の要請に対応するにあたり、重要となる。
【先行技術文献】
【特許文献】
【００１５】
【特許文献１】国際公開第２０１２／１３３９２０号公報
【特許文献２】特表２００９−５１６１６２号公報
【発明の概要】
【発明が解決しようとする課題】
【００１６】
しかしながら、１つの光測定装置内に複数のセンサを設けるには、新たな試料保持部や導光部等の設計の余地があった。特に、複数の光源からの光の入射と出射を可能とする試料保持部については、ノイズを排除する遮光性を確保するために導光窓を必要最小限とすべき課題があった。
【００１７】
ゆえに、本発明は、試料保持部が十分な遮光性を有しつつ、光誘起蛍光測定及び吸光度測定を同時に実施することを可能とする光測定装置等を提供することを目的とする。
【課題を解決するための手段】
【００１８】
本発明の第１の観点は、第１光源と、前記第１光源から放出され測定対象を透過した第１測定光の光強度を測定する第１測定部と、第２光源と、前記第２光源から放出された光が照射された測定対象からの蛍光である第２測定光を測定する第２測定部とを備える光測定装置であって、前記第１光源から放出された光が前記第１測定部に至るまで及び前記第２光源から放出された光が前記第２測定部に至るまでに光が通過する導光部と、前記測定対象を保持する試料保持部と、前記導光部及び前記試料保持部を包囲する吸光部とを備え、前記導光部は、前記第１光源から放出される第１入射光、前記第１測定光、前記第２光源から放出される第２入射光及び前記第２測定光に対して透明な第１樹脂で構成されており、前記試料保持部が、前記第１入射光及び前記第２入射光を前記測定対象に導光する入射光共用導光窓と、前記測定対象から前記第1測定部へと前記第１測定光を導光する第１測定光導光窓と、前記測定対象から前記第２測定部へと前記第２測定光を導光する第２測定光導光窓を有する光測定装置である。
【００１９】
本発明の第２の観点は、第１の観点の光測定装置であって、前記第１測定部の受光面が、前記第１測定光の光軸に対して、直交せずに傾斜していることを特徴とする。
【００２０】
本発明の第３の観点は、第２の観点の光測定装置であって、前記受光面が、前記第２入射光の光軸と前記第２測定光の光軸を含む平面に対して、直交せずに傾斜していることを特徴とする。
【００２１】
本発明の第４の観点は、第１から第３の観点のいずれかの光測定装置であって、前記導光部のうちの前記第２光源と前記試料保持部との間に、前記第２入射光の光軸を前記第１入射光の光軸と平行にする第１光学部材をさらに備える。
【００２２】
本発明の第５の観点は、第４の観点の光測定装置であって、前記試料保持部と前記第２測定部との間にあって前記第２測定光とは波長が異なる光を遮光する第２光学部材をさらに備え、前記第１光学部材及び前記第２光学部材は、前記第１入射光を通過させると共に、前記第２入射光を反射する光学特性を有することを特徴とする。
【００２３】
本発明の第６の観点は、第１から第５の観点のいずれかの光測定装置であって、前記導光部のうちの前記試料保持部と前記第２測定部との間に、色素を有する第２樹脂からなる光学フィルタ部をさらに備える。
【００２４】
本発明の第７の観点は、第６の観点の光測定装置であって、前記光学フィルタ部の周囲に、色素拡散抑制部をさらに備える。
【００２５】
本発明の第８の観点は、第７の観点の光測定装置であって、前記光学フィルタ部と前記色素拡散抑制部との間に、前記第２測定光とは異なる波長の光を吸収する第２吸光部をさらに備える。
【００２６】
本発明の第９の観点は、第８の観点の光測定装置であって、前記第２吸光部は、前記光学フィルタ部を構成する前記第２樹脂と同一の樹脂で構成されており、前記色素とは異なる第２色素を含むものである。
【００２７】
本発明の第１０の観点は、第１光源と、前記第１光源から放出され測定対象を透過した第１測定光の光強度を測定する第１測定部と、第２光源と、前記第２光源から放出された光が照射された測定対象からの蛍光である第２測定光を測定する第２測定部とを備える光測定装置における光測定方法であって、前記光測定装置は、前記第１光源から放出された光が前記第１測定部に至るまで及び前記第２光源から放出された光が前記第２測定部に至るまでに光が通過する導光部と、前記測定対象を保持する試料保持部と、前記導光部及び前記試料保持部を包囲する吸光部とを有し、前記導光部は、前記第１光源から放出される第１入射光、前記第１測定光、前記第２光源から放出される第２入射光及び前記第２測定光に対して透明な第１樹脂で構成されており、前記試料保持部が、前記第１入射光及び前記第２入射光を前記測定対象に導光する入射光共用導光窓と、前記測定対象から前記第1測定部へと前記第１測定光を導光する第１測定光導光窓と、前記測定対象から前記第２測定部へと前記第２測定光を導光する第２測定光導光窓を有し、前記第１光源及び前記第２光源が、それぞれ前記第１入射光及び前記第２入射光を前記入射光共用導光窓を通じて前記測定対象に照射する照射ステップを含む、光測定方法である。
【発明の効果】
【００２８】
本発明の各観点によれば、第１入射光及び第２入射光を同一の導光窓から測定対象に導光することができる。そのため、試料保持部の導光窓を必要最小限に抑えることができる。その結果、十分な遮光性を有する試料保持部を有し、光誘起蛍光測定及び吸光度測定を同時に実施できる光測定装置等を提供することが可能となる。
【００２９】
ここで、第１測定部の受光面からの反射光が再度試料保持部に入射してしまうと、光誘起蛍光度測定及び吸光度測定の精度を下げることとなる。
【００３０】
そこで、本発明の第２の観点によれば、吸光センサの受光面に入射した吸光測定光やＬＩＦ励起光の一部（以下、吸光測定面入射光と称する）は、吸光測定用光源から吸光センサを結ぶ光軸とは異なる方向に反射し、導光部を包囲する吸光部に入射して吸収される。よって、高精度な光測定が容易となる。
【００３１】
さらに、本発明の第３の観点によれば、迷光が蛍光収集光学系へ進行することを、より確実に低減可能となる。
【００３２】
さらに、本発明の第４の観点によれば、ＬＩＦ用光源として、レーザ光源ではなくＬＥＤ等の多波長の光を含む光源を用いても、特定の波長の励起光のみを試料へと導光することが容易となる。
【００３３】
また、本発明の第４の観点によれば、ＬＩＦ用光源と吸光用光源を隣接させて配置しなくても、試料保持部の同一の導光窓に、ＬＩＦ用入射光及び吸光用入射光を導光することができる。よって、光測定装置の設計自由度が向上し、小型の光測定装置を提供することが容易となる。
【００３４】
さらに、本発明の第５の観点によれば、第１光学部材及び第２光学部材を１種の光学部材として提供できる。そのため、第２入射光（励起光）等の迷光のＬＩＦ用センサへの入射を減少させることが容易となる。
【００３５】
さらに、本発明の第６の観点によると、従来の光測定装置で第２測定光のみを透過させ、それ以外の光を吸収させる色ガラスフィルタが不要になり、さらに携帯や運搬による衝撃に強い光測定装置等を提供することが可能となる。
【００３６】
さらに、本発明の第７の観点によると、色素拡散抑制部が、光学フィルタ部内の色素の外部への拡散を抑制し、光学フィルタ部の当初のフィルタ機能を維持することが可能な光測定装置等を提供することが可能となる。
【００３７】
光測定装置において、光の反射や散乱を抑制することが好ましいことに鑑みると、異種の材料である色素拡散抑制部を設けることには阻害要因がある。本願発明の第７の観点は、色素を有する光学フィルタ部から筐体への色素の拡散が問題となり得るとの課題認識に基づき色素拡散抑制部を設けることとした技術的思想に特徴がある。
【００３８】
さらに、本発明の第８の観点によると、第２測定光が透過する導光部を確保しつつ、光学フィルタ部における反射・散乱を抑制することが可能となる。
【００３９】
さらに、本発明の第９の観点によれば、第２吸光部と光学フィルタ部とが同一素材であるため、両者の屈折率が同じであり、境界面での反射・散乱の発生を抑制することがさらに容易となる。
【図面の簡単な説明】
【００４０】
【図１】複合センサの仮想的な構造の模式図である。
【図２】本発明の実施例１に係る複合センサの全体図である。
【図３】本発明の実施例１に係る測定光照射兼吸光測定ユニット部分の拡大図である。
【図４】本発明の複合センサの構造の模式図である。
【図５】実施例１に係る吸光センサ周辺部の拡大図である。
【図６】本発明の実施例２に係る複合センサの全体図である。
【図７】図６に示されるＡ−Ａ断面図の一部を示す図である。
【図８】本発明の色素拡散抑制部材を備える光学フィルタ部の拡大図である。
【図９】本発明の第２吸光部を備える光学フィルタ部の拡大図である。
【図１０】本発明の発明者らが先に提案した従来の光誘起蛍光測定装置の全体図である。
【００４１】
以下、図面を参照して、本願発明の実施例について述べる。
【発明を実施するための形態】
【００４２】
なお、本願発明の実施の形態は、以下の実施例に限定されるものではない。
【００４３】
まず、図１を参照して、単純に吸光センサ及び蛍光センサを備える複合センサを想定し、その構造について述べる。図１は、複合センサの仮想的な構造の模式図である。
【００４４】
図１を参照して、透明なシリコーン樹脂内２２７に、測定試料を保持するＰＣＲ管からなる試料保持部２０５、吸光測定用白色光源２１７の光放出面２１８、光誘起蛍光測定（ＬＩＦ）用光源２１９の光放出面２２０、吸光度を測定する吸光センサ２２１の受光面２２２、試料から放出される蛍光を収集して蛍光を測定するＬＩＦ用センサ２２３に導光する蛍光収集光学系２２５、及び、ＬＩＦ用センサ２２３の受光面２２４が埋設されている。さらに、これらを包囲するように迷光吸収用の黒色顔料を含有するシリコーン樹脂２２９が設けられている。
【００４５】
また、試料保持部２０５は、ＬＩＦ用光源２１９からの励起光が入射する励起光入射窓２３１、蛍光が出射する蛍光出射窓２３３、吸光測定用白色光源２１７からの入射光が入射する吸光入射窓２３５、吸光測定用白色光源２１７からの透過光が出射する吸光出射窓２３７、及び、ＬＩＦ用光源２１９からの励起光がＰＣＲ管からなる試料保持部２０５を透過して出射する励起光出射窓２４３を有する。
【００４６】
図１に示すような構成の複合センサによれば、迷光吸収用の黒色顔料が含有されているシリコーン樹脂２２９に包囲されているので、迷光が外部に放出されない。また、導光部を形成する透明シリコーン樹脂２２７と黒色顔料が含有されているシリコーン樹脂２２９との材質を同じにすることにより、両者の界面における反射が殆ど発生しない。よって、一旦、迷光が前記界面に到達すると、界面での反射により導光部（透明シリコーン）内に再び進入することは殆どなく、ノイズが低減される。
【００４７】
例えば、ＬＩＦ用光源２１９から放出されるＬＩＦ用の測定光（励起光）のうち、試料の励起に寄与せず試料保持部２０５を通過した励起光は、黒色顔料含有シリコーン樹脂２２９に入射し、黒色顔料にて吸収される。また、吸光測定用白色光源２１７からの吸光度用測定光は、矢印のように吸光センサ２２１に到達する。
【００４８】
しかしながら、図１の構造の場合では、以下のような問題点が発生する。複合センサではなく、ＬＩＦ測定装置、もしくは、吸光度測定装置のみであれば、光源から試料への入射光を導光するための窓（以下、入射光導光窓と言う。）、及び、試料からセンサへ測定光を導光するための窓（以下、測定光導光窓と言う。）を除いた試料保持部２０５の周囲を黒色顔料シリコーン樹脂で包囲することで、試料保持部２０５上での散乱によるノイズ減少させることができる。しかし、図１の構造の複合センサでは、ＬＩＦ用入射光導光窓２３１、ＬＩＦ用測定光導光窓２３３、吸光用入射光導光窓２３５、及び、吸光用測定光導光窓２３７の計四ヵ所の導光窓が必要となる。よって、試料保持部２０５を包囲する黒色顔料含有シリコーン樹脂による遮光性が不十分となり、例えば、吸光用測定光の試料保持部２０５による散乱光が、ノイズとして蛍光測定用の蛍光収集光学系２２５に進行することもある。
【００４９】
そこで、以下ではノイズを低減することを可能とする、本発明に係る複合センサの実施例について述べる。
【実施例１】
【００５０】
図２及び図３に第１の実施例の構成例を示す。本構造は、図１０に示す光誘起蛍光測定装置におけるＬＩＦ用光源（ＤＰＳＳレーザヘッド）３０３と試料保持部３０５を、吸光測定用光源１・ＬＩＦ用光源３・試料保持部５・吸光センサ７等を含む測定光照射兼吸光測定ユニット９に代えたものである。
【００５１】
測定光照射兼吸光測定ユニット
（Ａ）吸光測定用光源
吸光測定用光源１としては、例えば、白色光を放出するＬＥＤが用いられる。
【００５２】
（Ｂ）ＬＩＦ用光源
ＬＩＦ用光源３としては、例えば、中心波長５３２ｎｍである光を放出するＬＥＤ、もしくは、半導体励起のＮｄ：ＹＶＯ４レーザ（波長１０６４ｎｍ）の第２高調波である波長５３２ｎｍのレーザビームを放出するグリーンレーザ装置が用いられる。
【００５３】
（Ｃ）試料（測定対象）
本実施例においては、測定用試料として、５３２ｎｍのレーザビームを照射すると、波長５７０ｎｍ〜５８０ｎｍの蛍光を放出する蛍光試薬であるＱ−ｂｏｄｙを用いた。
【００５４】
（Ｄ）試料保持部
試料保持部５としては、例えば、ポリスチレン製ＰＣＲチューブが用いられる。このＰＣＲチューブは先端がテーパ状になっており、液体状の試料を投入しても、ＰＣＲチューブの先端側で気泡が出来にくい。この試料を保持するための試料保持部５は、当該試料保持部を構成するＰＣＲチューブの先端側に光源からの光が照射されるように位置決めされる。
【００５５】
なお、本発明の複合センサの構造の模式図である図４に示されるように、図２、図３に示す試料保持部５（図４では試料保持部２０５）の周囲は、入射光共用導光窓２３９、吸光用測定光導光窓２３７、及び、ＬＩＦ用測定光導光窓２３３を除いて、顔料含有シリコーン樹脂２２９で包囲されている。
【００５６】
（Ｅ）吸光センサ
吸光センサ７としては、例えば、ＲＧＢカラーセンサが用いられる。
【００５７】
（Ｆ）光学系（導光部、迷光対策など）
図３に示すように、吸光測定用光源１から放出される吸光測定用入射光１１は、当該光に透明な第１のシリコーン樹脂１２（本願請求項の「第１樹脂」の一例であり、例えば、ＰＤＭＳが用いられる。）からなる導光部Ａを進み、試料が保持されている試料保持部５に入射する。
【００５８】
導光部Ａは、吸光測定用光源１と試料保持部５との間に設けられている。導光部Ａの試料保持部５側の端部には、第１の４５度反射型ノッチフィルタ１５が設けられている。第１の４５度反射型ノッチフィルタ１５と試料保持部５と間には、透明な第１のシリコーン樹脂１２からなる導光部Ｃが設けられている。
【００５９】
第１の４５度反射型ノッチフィルタ１５は、吸光測定用光源１からの吸光測定用入射光１１を透過させ、ＬＩＦ用光源３からの波長５３２ｎｍ光及びその近傍にある波長域の光が入射角４５度で入射した場合、この光を反射する。
【００６０】
よって、吸光測定用光源１から放出される吸光測定用入射光１１は、導光部Ａ、第１の４５度反射型ノッチフィルタ１５、導光部Ｃを経由して、試料保持部５の試料に入射する。
【００６１】
一方、ＬＩＦ用光源３から放出されるＬＩＦ用励起光１９は、この光に透明な第１のシリコーン樹脂１２からなる導光部Ｂを進み、第１の４５度反射型ノッチフィルタ１５により反射され、導光部Ｃを経由して試料保持部５の試料に入射する。
【００６２】
導光部Ｂは、ＬＩＦ用光源３と第１の４５度反射型ノッチフィルタ１５との間に設けられていて、導光部Ｃに交差するように連結されている。また、第１の４５度反射型ノッチフィルタ１５と交差する導光部Ｂと対応する位置であって、第１の４５度反射型ノッチフィルタ１５の光入射面と反対側の面に、透明な第１のシリコーン樹脂１２からなる導光部Ｂ’が設けられている。
【００６３】
試料保持部５と吸光センサ７との間には、透明な第１のシリコーン樹脂１２からなる導光部Ｄが設けられている。試料保持部５の試料に入射した吸光測定用入射光１１は、試料の特性に基づき特定の波長域の光の一部が吸収されて、吸光測定光２７として導光部Ｄを経由して吸光センサ７に入射する。吸光センサ７による測定結果は、図示を省略した演算部に送出され、当該演算部にて試料の吸光度が演算にて求められる。
【００６４】
一方、導光部Ｃを経由して試料保持部５の試料に入射したＬＩＦ用励起光１９は、試料保持部５内の試料を励起する。励起された試料は、試料の特性に基づき特定の波長域の蛍光２９を放出する。この蛍光は、透明な第１のシリコーン樹脂１２からなる導光部Ｅを経由して、測定光照射兼吸光測定ユニット９から第１の色素含有シリコーン樹脂３３に入射する。
【００６５】
ここで、測定光照射兼吸光測定ユニット９に含まれる、吸光測定用光源１、ＬＩＦ用光源３、第１の４５度反射型ノッチフィルタ１５、導光部Ａ、導光部Ｂ、導光部Ｃ、導光部Ｄ、導光部Ｅ、吸光センサ７からなる光学系は、例えばＰＤＭＳに炭素からなる黒色顔料が分散されている顔料含有シリコーン樹脂３５（本願請求項の「吸光部」の一例）からなるユニット筐体３７に埋設されている。すなわち、吸光測定用光源１、導光部Ａ、第１の４５度反射型ノッチフィルタ１５、導光部Ｃ、試料保持部５、導光部Ｄ、吸光センサ７からなる吸光測定用光学系、ＬＩＦ用光源３、導光部Ｂ、第１の４５度反射型ノッチフィルタ１５、導光部Ｃ、試料保持部５、導光部ＥからなるＬＩＦ用測定光導光・蛍光放出光学系は、顔料含有シリコーン樹脂３５（ユニット筐体３７）により包囲されている。
【００６６】
顔料含有シリコーン樹脂３５に分散されている顔料は、ＬＩＦ用光源３から放出されるＬＩＦ用励起光１９、試料保持部５にＬＩＦ用励起光１９が照射される際に発生する自家蛍光、及びＬＩＦ用励起光１９が樹脂（導光部Ｂ、導光部Ｃ、導光部Ｂ’）内を進行する際に樹脂から発生するラマン光や、吸光測定用光源１からの吸光測定用入射光１１、試料保持部５に吸光測定用入射光１１が照射される際に発生する自家蛍光、試料保持部５内の試料を通過した吸光測定光２７、吸光測定用入射光１１及び吸光測定光２７が樹脂（導光部Ａ、導光部Ｃ、導光部Ｄ）内を進行する際に樹脂から発生するラマン光を吸収する波長特性を有する。
【００６７】
吸光測定用光学系やＬＩＦ用測定光導光・蛍光放出光学系の導光部を形成する導光部Ａ、導光部Ｂ、導光部Ｂ’、導光部Ｃ、導光部Ｄ、導光部Ｅを構成する第１のシリコーン樹脂１２の材質と顔料含有シリコーン樹脂３５の材質を同一にすると、これらの屈折率は全て同じとなる。よって、各導光部と、各導光部を包囲する顔料含有シリコーン樹脂３５（ユニット筐体３７）との間の界面には屈折率境界がない。そのため、各導光部からの迷光が顔料含有シリコーン樹脂３５に入射する場合、界面における迷光の光反射や光散乱は抑制される。
【００６８】
本実施例の構造を採用することにより、図４に示すように、吸光測定用光源２１７とＬＩＦ用光源２１９から試料への入射光を同一の導光窓（以下、入射光共用導光窓２３９という。また、本願請求項の「入射光共用導光窓」の一例である。）から導光することができる。そのため、ＰＣＲ管からなる試料保持部２０５を包囲する吸光部において、導光窓を設ける必要がある箇所を、入射光共用導光窓２３９、ＬＩＦ用測定光導光窓２３３（本願請求項の「第２測定光導光窓」の一例である。）、吸光用測定光導光窓２３７（本願請求項の「第１測定光導光窓」の一例である。）の計三ヵ所に抑えることができる。その結果、試料保持部２０５の遮光性が向上し、光誘起蛍光測定及び吸光度測定を同時に実施できる小型で携帯可能な複合センサを提供することが可能となる。
【００６９】
本実施例は、迷光を顔料含有シリコーン樹脂３５（測定光照射兼吸光測定ユニット９のユニット筐体３７)に入射させて吸収させること、また上記界面において迷光の光反射や光散乱は抑制されることを利用し、吸光センサ７に到達する光（ＬＩＦ用励起光１９の一部、吸光測定光２７）が吸光センサ７の受光面３９により散乱されてなる迷光を吸収し、この迷光の蛍光収集光学系６５（後述する）への進入を抑制し、ノイズを軽減させるものである。
【００７０】
具体的に、図３の吸光センサ７の周辺部（点線で囲まれた部分）を拡大した図５を用いて説明する。
【００７１】
本実施例においては、吸光センサ７は、吸光センサ７の受光面３９が導光部Ｄの光軸４１に対し傾斜した姿勢となるように設置される。このように吸光センサ７を配置することにより、吸光センサ７の受光面３９に入射した吸光測定光２７やＬＩＦ励起光１９の一部（以下、吸光測定面入射光４３と称する）は、光軸４１とは異なる方向に反射し、導光部Ｄを包囲する顔料含有シリコーン樹脂３５（ユニット筐体３７)に入射して、顔料により吸収される。また、測定面４２に入射して、測定面４２によって散乱される吸光測定面入射光４３の散乱光も大部分が光軸４１とは異なる方向に進行し、導光部Ｄを包囲する顔料含有シリコーン樹脂３５（ユニット筐体３７)に入射して、顔料により吸収される。
【００７２】
試料保持部５と吸光センサ７との距離（導光部Ｄの長さ）をある程度確保すると、顔料含有シリコーン樹脂３５（ユニット筐体３７)による反射・散乱光の吸収効果は顕著になる。なお、散乱光のうち、導光部Ｄの光軸４１と一致するものは再び試料保持部５の試料に入射することになるが、散乱光の強度は反射光の強度より著しく小さいので、再び試料に入射する散乱光によるノイズはあまり考慮する必要はない。
【００７３】
なお、図３に示す導光部Ｂ’には、第１の４５度反射型ノッチフィルタ１５を通過したＬＩＦ用励起光１９の通過光４５が入射する。上記したように、第１の４５度反射型ノッチフィルタ１５は、ＬＩＦ用励起光１９が入射角４５度で入射した場合にこの光を反射する。
【００７４】
図３に示すように、ＬＩＦ用光源３から放出されるＬＩＦ用励起光１９の光軸は、第１の４５度反射型ノッチフィルタ１５の入射面に対して４５度となるように設定されている。ここで、第１の４５度反射型ノッチフィルタ１５には入射角度依存性が存在し、入射角４５°で入射したＬＩＦ用励起光１９はほぼ１００％近く反射するが、入射角が４５°より大きい場合、あるいは小さい場合、ＬＩＦ用励起光１９の一部は反射されず、そのまま透過する。
【００７５】
ＬＩＦ用光源３から放出されるＬＩＦ用励起光１９は、ある程度、空間的広がりを有するので、第１の４５度反射型ノッチフィルタ１５への入射角が４５度より大きい、もしくは小さい光成分を有する。
【００７６】
このような光の一部は、第１の４５度反射型ノッチフィルタ１５にてある程度減少するものの、第１の４５度反射型ノッチフィルタ１５を通過することになる。励起光の通過光４５の強度は、第１の４５度反射型ノッチフィルタ１５にて反射されるＬＩＦ用励起光１９の強度と比較すると十分小さいが、迷光が蛍光収集光学系へ進入し、ノイズ発生の原因となることもありうる。
【００７７】
ここで、導光部Ｂ’の第１の４５度反射型ノッチフィルタ１５側と反対方向の端部は、顔料含有シリコーン樹脂３５（ユニット筐体３７)と接している。よって、励起光の通過光４５は、顔料含有シリコーン樹脂３５に入射し、顔料により吸収される（トラップされる）。よって、この励起光の透過光４５が、蛍光収集光学系へ進入することは殆どない。
【００７８】
一方、試料保持部５の試料から放出される蛍光は、試料保持部５の全周から放出される。この放出光の一部が後で述べる蛍光収集光学系６５により収集される。その他の光は、場合によっては迷光となる。よって、図２、図３に示す第１の色素含有シリコーン樹脂３３へ入射させる蛍光２９は、蛍光収集光学系６５により収集されない成分をできるだけ遮光することが好ましい。これに対応するために、蛍光が通過する導光部Ｅは、できるだけ蛍光収集光学系６５により収集される光束のみを通過させるような形状とすることが好ましい。
【００７９】
導光部Ｅは、顔料含有シリコーン樹脂３５（ユニット筐体３７)により包囲されていて、第１の色素含有シリコーン樹脂３３は、後で述べるようにユニット筐体３７と同材質の顔料含有シリコーン樹脂３５からなる測定器筐体７１により包囲されているので、導光部Ｅ、第１の色素含有シリコーン樹脂３３において、蛍光収集光学系６５により収集される光束以外の方向に進行する光は、顔料含有シリコーン樹脂３５からなるユニット筐体３７、測定器筐体７１に入射し、吸収される。
【００８０】
また、導光部Ｅは、できるだけ蛍光収集光学系６５により収集される光束のみを通過させるような形状としたので、結果として、導光部Ｅと第１の色素含有シリコーン樹脂３３との界面７３においては、第１の色素含有シリコーン樹脂３３の端面面積より導光部Ｅの端面面積が小さくなる。すなわち、界面７３においては、できるだけ蛍光収集光学系６５により収集される光束のみを通過させるアパーチャ構造（第１のアパーチャ構造７５）となっている。
【００８１】
界面７３における導光部Ｅの端面形状は、例えば長方形であり、図３の紙面に垂直な方向が長方形の長手方向となっている。
【００８２】
（Ｇ）測定光照射兼吸光測定ユニットの出射側以降の光学系、筐体
透明な第１のシリコーン樹脂１２からなる導光部Ｅを通過する蛍光２９は、図２に示す第１の色素含有シリコーン樹脂３３、第１の空気室４７、第２の空気室４９、第２のシリコーン樹脂５１、第３の空気室５３、第２の４５度反射型ノッチフィルタ５５、第４の空気室５７、第５の空気室５９、第２の色素含有シリコーン樹脂６１、第６の空気室６３からなる蛍光収集光学系６５により、ＬＩＦ用センサ６７（本願請求項の「第２測定部」の一例である。）の受光面６９に集光される。
【００８３】
（Ｇ−１）．第１の色素含有シリコーン樹脂
第１の色素含有シリコーン樹脂３３（本願請求項における「光学フィルタ部」の一例）は、シリコーン樹脂（本願請求項における「第２樹脂」の一例）により構成されており、導光部Ｅ、第１の空気室４７の斜面７７、及び、第２の空気室４９に接する。
【００８４】
また、蛍光２９以外の光を除去するために、第１の色素含有シリコーン樹脂３３は、ＬＩＦ用励起光１９、試料保持部５にＬＩＦ用励起光１９が照射される際に発生する自家蛍光、及びＬＩＦ用励起光１９が樹脂（測定光照射兼吸光測定ユニット９の各導光部）内を進行する際に樹脂から発生するラマン光を吸収する波長特性を有する色素をほぼ一様に含有している。第１の色素含有シリコーン樹脂３３としては、例えば、Ｓｕｄａｎ  Ｉ色素を拡散させたＰＤＭＳ樹脂が用いられる。ただし、第１の色素含有シリコーン樹脂３３には、第２の色素含有シリコーン樹脂６１に比べ、色素濃度の低いシリコーン樹脂を用いた方がよい。なぜなら、ほぼ発光しない色素であっても、全く発光しないわけではなく、色素が擬似的な点光源となってしまう可能性があるためである。
【００８５】
（Ｇ−２）．第１の空気室
第１の空気室４７は、第１の色素含有シリコーン樹脂３３と斜面７７で接している。第１の空気室４７では、シリコーン樹脂と大気の屈折率差により、第１の空気室４７中の大気に対するＰＤＭＳ樹脂の臨界角以上の入射角で試料から放出される蛍光が第１の空気室４７の斜面７７に入射すると、蛍光は斜面７７において全反射される。そのため、第１の空気室４７の斜面７７の角度を適切に設定することにより、蛍光は任意の方向（図２では上方向）に折り返される。
【００８６】
（Ｇ−３）．第２の空気室
第２の空気室４９は、第１の色素含有シリコーン樹脂３３と第２のシリコーン樹脂５１との間に設けられる。また、第１の色素含有シリコーン樹脂３３と第２の空気室４９との境界面７９は、第２の空気室４９側に凸の球面であり、第２の空気室４９と第２のシリコーン樹脂５１との境界面８１は平面である。よって、第２の空気室４９全体としては、平凹レンズの形状となっている。境界面７９の曲率を適宜設定することで、第２の空気室４９により、試料から放出される拡散光を平行光に調整することができる。
【００８７】
（Ｇ−４）．第２のシリコーン樹脂
第２のシリコーン樹脂５１は、第２の空気室４９の光出射側境界面８１、第３の空気室５３の斜面８５、第４の空気室５７の斜面８７、第５の空気室５９の光入射側境界面８９において、それぞれ第２〜第５の空気室と接触している。なお、第２のシリコーン樹脂５１により構成される斜面８５から斜面８７までの導光部の途中に、後で述べる第２の４５度反射型ノッチフィルタ５５が挿入されている。
【００８８】
（Ｇ−５）．第３の空気室
第３の空気室５３は、第２のシリコーン樹脂５１と斜面８５にて接している。第１の空気室４７と同様、空気室中の大気とシリコーン樹脂との屈折率の差があるため、第３の空気室５３の斜面８５の角度を適切に設定することにより、第２の空気室４９から入射してくる蛍光は任意の方向（図２では左方向）に折り返される。
【００８９】
（Ｇ−６）．第２の４５度反射型ノッチフィルタ
第２の４５度反射型ノッチフィルタ５５は、蛍光及びその近傍にある波長域の光を透過させ、当該ノッチフィルタの光入射面に対し４５度の入射角で入射する、蛍光及びその近傍にある波長域の光以外の光を反射させる。すなわち、図２に示すように、第２の４５度反射型ノッチフィルタ５５、その光入射面が光軸方向（図２における水平方向）に対して４５度となるように設置されている。
【００９０】
第２のシリコーン樹脂５１には、測定対象の蛍光だけでなく、それ以外の光（迷光）も入射する。それ以外の光とは、ＬＩＦ用励起光１９、試料保持部５にＬＩＦ用励起光１９が照射される際に発生する自家蛍光、及びＬＩＦ用励起光１９が樹脂内を進行する際に樹脂から発生するラマン光である。これら迷光は、第１の色素含有シリコーン樹脂３３を通過すると、その多くが色素により吸収される。
【００９１】
よって、第２のシリコーン樹脂５１に入射する蛍光以外の光（迷光）の強度は、かなり減衰している。このような迷光が第２の４５度反射型ノッチフィルタ５５の光入射面に対し４５度の入射角で入射すると、これらの光は第２の４５度反射型ノッチフィルタ５５により（図２の下側）に反射され、顔料含有シリコーン樹脂３５（測定器筐体７１)に入射し、顔料により吸収される。
【００９２】
なお、第１の４５度反射型ノッチフィルタ１５と同様、第２の４５度反射型ノッチフィルタ５５にも入射角度依存性が存在する。よって、入射角４５°で入射した蛍光以外の光（迷光）はほぼ１００％近く反射するが、入射角が４５°より大きい場合、あるいは小さい場合、蛍光以外の光の一部は反射されず、そのまま透過する。
【００９３】
ＬＩＦ用励起光１９等を含む蛍光以外の光は、ある程度空間的広がりを有するので、第２の４５度反射型ノッチフィルタ５５への入射角が４５度より大きい、もしくは、小さい光成分を有する。
【００９４】
このような光の一部は、第２の４５度反射型ノッチフィルタ５５にてある程度減衰するものの、一部は通過することになる。しかしながら、蛍光以外の光は、第１の色素含有シリコーン樹脂３３により大部分吸収され、更に、第２の４５度反射型ノッチフィルタ５５を通過する際もある程度減衰するので、結果的に第２の４５度反射型ノッチフィルタ５５を透過する蛍光以外の光は微弱光となる。
【００９５】
（Ｇ−７）．第４の空気室
第４の空気室５７は、第１のシリコーン樹脂と斜面８７にて接している。第１、第３の空気室４７、５３と同様に、空気室中の大気とシリコーン樹脂との屈折率の差があるため、第４の空気室５７の斜面８７の角度を適切に設定することにより、第３の空気室５３の界面８５から反射されてくる蛍光は任意の方向（図２では下方向）に折り返される。
【００９６】
（Ｇ−８）．第５の空気室
第５の空気室５９は、第２のシリコーン樹脂５１と第２の色素含有シリコーン樹脂６１との間に設けられる。第２のシリコーン樹脂５１と第５の空気室５９との境界面８９は平面であり、第２の色素含有シリコーン樹脂６１と第５の空気室５９との境界面９３は第５の空気室５９側に凸の球面である。よって、第５の空気室５９全体としては、平凹レンズの形状となっている。そのため、第４の空気室５７の斜面８７で反射された蛍光は、そのまま平行光として境界面８９を通過する。境界面９３の曲率を適宜設定することにより、この平行光は第２の色素含有シリコーン樹脂６１に面する第６の空気室６３の斜面９５に収束され、最終的にＬＩＦ用センサ６７の受光面６９に集光する。
【００９７】
（Ｇ−９）．第２の色素含有シリコーン樹脂
第２の色素含有シリコーン樹脂６１は、第６の空気室６３の斜面９５、ＬＩＦ用センサ６７の受光面６９において、それぞれ接しており、第１の色素含有シリコーン樹脂３３と同様、ＬＩＦ用励起光１９、試料保持部５にＬＩＦ用励起光１９が照射される際に発生する自家蛍光、及びＬＩＦ用励起光１９が樹脂（測定光照射兼吸光測定ユニット９の各導光部や第１の色素含有シリコーン樹脂３３、第２のシリコーン樹脂５１）内を進行する際に樹脂から発生するラマン光を吸収する波長特性を有する色素をほぼ一様に含有している。蛍光以外の光をできるだけ除去するため、第２の色素含有シリコーン樹脂６１には、第１の色素含有シリコーン樹脂３３よりも色素濃度が高いシリコーン樹脂を用いた方がよい。
【００９８】
（Ｇ−１０）．第６の空気室
第６の空気室６３は、第２の色素含有シリコーン樹脂６１と斜面９５にて接している。第１、第３、第４の空気室と同様に、空気室中の大気とシリコーン樹脂との間には屈折率の差があるため、第６の空気室６３の斜面９５の角度を適切に設定することにより、第４の空気室５７の界面により反射されてくる蛍光は任意の方向（図２では左方向）に折り返される。すなわち、第５の空気室５９と第２の色素含有シリコーン樹脂６１との境界面９３を通過し、第６の空気室６３の斜面９５に収束した光がＬＩＦ用センサ６７の受光面６９に集光される。
【００９９】
（Ｇ−１１)．測定器筐体
測定光照射兼吸光測定ユニット９から出射した光が通る、第１の色素含有シリコーン樹脂３３からＬＩＦ用センサ６７までの蛍光収集光学系６５は、顔料含有シリコーン樹脂３５（測定器筐体７１)により包囲される。少なくともＬＩＦ用センサ６７の受光面６９は、顔料含有シリコーン樹脂３５（測定器筐体７１)に埋設されるか又は接触する。顔料含有シリコーン樹脂３５は、導光部を形成する第１の色素含有シリコーン樹脂３３、第２のシリコーン樹脂５１、第２の色素含有シリコーン樹脂６１と同じ材質であり、例えば、ＰＤＭＳ樹脂などが用いられる。顔料含有シリコーン樹脂３５の顔料は、ＬＩＦ用光源３から放出されるＬＩＦ用励起光１９、試料保持部５に励起光１９が照射される際に発生する自家蛍光、及び励起光１９が樹脂（第１の色素含有シリコーン樹脂３３、第２のシリコーン樹脂５１、第２の色素含有シリコーン樹脂６１）内を進行する際、樹脂から発生するラマン光を吸収する。顔料含有シリコーン樹脂３５の顔料には、例えば、炭素からなる黒色顔料が使用される。測定器筐体７１は、主な構成要素が光学系の導光部を形成するシリコーン樹脂（第１の色素含有シリコーン樹脂３３、第２のシリコーン樹脂５１、第２の色素含有シリコーン樹脂６１）と同じ材質のシリコーン樹脂であるので、これらの屈折率は全て同じである。すなわち、測定器筐体７１と蛍光収集光学系６５の導光部を形成するシリコーン樹脂（第１の色素含有シリコーン樹脂３３、第２のシリコーン樹脂５１、第２の色素含有シリコーン樹脂６１）との間には屈折率境界がない。よって、蛍光収集光学系６５の導光部を形成するシリコーン樹脂が占める領域を通過した迷光が、測定器筐体７１に入射する場合、両シリコーン樹脂（測定器筐体７１を構成する顔料含有シリコーン樹脂３５と蛍光収集光学系６５の導光部を形成するシリコーン樹脂）が接触する界面において光の反射や散乱は抑制されるため、導光部を進行する各迷光は、反射や散乱されることなく測定器筐体に入射し、効率よく測定器筐体により吸収される。
【０１００】
（Ｇ−１２)．第２のアパーチャ構造
第２の色素含有シリコーン樹脂６１における受光面６９近傍の位置に、開口（例えば、スリット形状）を有する部材からなる第２のアパーチャ構造９７を設けてもよい。第２のアパーチャ構造９７は、試料保持部５の試料から放出されＬＩＦ用センサ６７の受光面６９に至る蛍光の導光部以外を進行する光を遮蔽する機能を有する。
【０１０１】
第２のアパーチャ構造９７は、第２の色素含有シリコーン樹脂６１と同じシリコーン樹脂によって形成し、かつ、顔料含有シリコーン樹脂３５と同じ顔料を含有している。よって、第２の色素含有シリコーン樹脂６１と第２のアパーチャ構造９７との界面に屈折率境界がないため、迷光が第２のアパーチャ構造９７に入射する際、光の反射や散乱は抑制される。また、第２のアパーチャ構造９７は顔料を含有しているので、迷光の少なくとも一部は、第２のアパーチャ構造９７の顔料により吸収される。
【０１０２】
このように、第２のアパーチャ構造９７を設けることにより、ＬＩＦ用センサ６７の受光面６９に到達する迷光の量を更に低減することが可能となる。
【０１０３】
（Ｈ）ＬＩＦ用センサ
ＬＩＦ用センサ６７としては、例えば、光電子増倍管が用いられる。
【実施例２】
【０１０４】
図６、図７に実施例２の構成例を示す。本実施例は、実施例１の測定光照射兼吸光測定ユニット９において、吸光センサ７の傾斜方向を変えたものである。その他の構造は、実施例１と同様である。以下、測定光照射兼吸光測定ユニット９における吸光センサ７の傾斜方向について説明する。
【０１０５】
実施例１においては、図５に示すように、測定光照射兼吸光測定ユニット９における吸光センサ７の傾斜方向は、導光部Ｄを通過する吸光測定光２７、及び、ＬＩＦ用励起光１９の光軸方向が水平方向（紙面内の方向）に変換するように設定されている。（図５では、光軸は左方向に変換されている。）
【０１０６】
一方、実施例２においては、図６のＡ−Ａ断面図の一部を表す図７に示すように、測定光照射兼吸光測定ユニット９における吸光センサ７の受光面３９は、吸光測定光２７の光軸と蛍光２９の光軸を含む平面に対して、直交せず、傾斜するように設定されている。
【０１０７】
吸光センサ７の受光面３９の傾斜角度を上記平面に対して４５度に設定することにより、受光面３９にて反射される吸光測定光２７の一部、及びＬＩＦ用励起光１９の一部（吸光測定面入射光４３）は、図６の紙面に垂直かつ、紙面の表側から裏側へ進む。すなわち、迷光の大部分はこの方向に進む。一方、導光部Ｅの中心軸は図６の紙面上にあるので、実施例２の構成によれば、実施例１に比べ、迷光が蛍光収集光学系６５に進行する可能性をより少なくすることが可能となる。
【０１０８】
なお、透明な第１のシリコーン樹脂１２からなる導光部Ｄは、吸光センサ７の受光面３９の下方向に迷光トラップ部１０１をさらに備えている。よって、吸光センサ７の受光面３９で生じた反射光や迷光は、迷光トラップ部１０１に進行し、ユニット筐体３７を構成する顔料含有シリコーン樹脂３５に入射して、顔料により吸収される。
【実施例３】
【０１０９】
続いて、図８及び図９を参照して、実施例３について述べる。実施例３においては、色素含有シリコーン樹脂の機能を維持しやすい構成とした。図８は、本発明の色素拡散抑制部材を備える光学フィルタ部の拡大図であり、（ａ）第１の色素含有シリコーン樹脂３３周辺の拡大図、及び、（ｂ）第２の色素含有シリコーン樹脂６１周辺の拡大図である。図９は、本発明の第２吸光部を備える光学フィルタ部の拡大図である。
【０１１０】
（１）色素拡散抑制部材
図８を参照して、第１の色素含有シリコーン樹脂３３、第２の色素含有シリコーン樹脂６１に含有されている色素は、一般に染料であって樹脂内を移動可能である。そのため、場合によっては、第１の色素含有シリコーン樹脂３３、第２の色素含有シリコーン樹脂６１を包囲する顔料含有シリコーン樹脂３５（測定部筐体７１）に染み出すことも有り得る。その場合、第１の色素含有シリコーン樹脂３３、第２の色素含有シリコーン樹脂６１に含有されている色素の濃度が減少するので、色素含有シリコーン樹脂における迷光の吸収が不十分になることもある。
【０１１１】
よって、実施例３においては、図８に示すように、第１の色素含有シリコーン樹脂３３、第２の色素含有シリコーン樹脂６１の周囲を色素拡散抑制部材１０３で包囲した。この場合、色素拡散抑制部材１０３と第１の色素含有シリコーン樹脂３３との境界面、及び、色素拡散抑制部材１０３と第２の色素含有シリコーン樹脂６１との境界面には屈折率境界が存在する。しかしながら、屈折率境界において反射・散乱される迷光は、色素含有シリコーン樹脂（第１の色素含有シリコーン樹脂３３、第２の色素含有シリコーン樹脂６１）により吸収されるので、実質的にＬＩＦ用センサ６７の受光面６９には到達しない。
【０１１２】
色素拡散抑制部材１０３は、高密度であって、所望の光に対して透過性が高く、また、内部において色素の移動が無視できるほど小さいか、全く移動しない材質からなる。具体的には、ポリメタクリル酸メチル樹脂（Ｐｏｌｙ  ｍｅｔｈｙｌ  ｍｅｔｈａｃｒｙｌａｔｅ：ＰＭＭＡ）等のアクリル樹脂、ポリエチレンテレフタラート（Ｐｏｌｙｅｔｈｙｌｅｎｅ  ｔｅｒｅｐｈｔｈａｌａｔｅ：ＰＥＴ）、ポリカーボネート（ｐｏｌｙｃａｒｂｏｎａｔｅ）や無機ガラス等が用いられる。特に色素の移動を完全に防止するのであれば、色素拡散抑制部材１０３として無機ガラスを使用することが好ましい。
【０１１３】
（２）第２吸光部
次に、図９を参照して、色素拡散抑制部材１０３と第１の色素含有シリコーン樹脂３３との間、及び、色素拡散抑制部材１０３と第２の色素含有シリコーン樹脂６１との間に、測定対象である蛍光とは異なる波長の光を吸収する第２吸光部１０５をさらに備えてもよい。これにより、測定対象である蛍光が進行する導光部を確保しつつ、光学フィルタ部における反射・散乱を抑制することが可能となる。また、この第２吸光部１０５は、第１の色素含有シリコーン樹脂３３、第２の色素含有シリコーン樹脂６１と同一の樹脂で構成されており、これらの色素含有シリコーン樹脂に含有される色素とは異なる第２色素１０７を含むものであってもよい。第２吸光部１０５と第１の色素含有シリコーン樹脂３３、第２の色素含有シリコーン樹脂６１とが同一素材であるため、屈折率が同じであり、境界面での反射・散乱の発生を抑制することがさらに容易となる。
【符号の説明】
【０１１４】
１・・・吸光測定用光源、３・・・ＬＩＦ用光源、５・・・試料保持部、７・・・吸光センサ、９・・・測定光照射兼吸光測定ユニット、１１・・・吸光測定用入射光、１２・・・第１のシリコーン樹脂、１５・・・第１の４５度反射型ノッチフィルタ、１９・・・ＬＩＦ用励起光、２７・・・吸光測定光、２９・・・蛍光、３３・・・第１の色素含有シリコーン樹脂、３５・・・顔料含有シリコーン樹脂、３７・・・ユニット筐体、３９・・・吸光センサ７の受光面、４１・・・光軸、４３・・・吸光センサ受光面入射光、４５・・・ＬＩＦ用励起光１９の通過光、４７・・・第１の空気室、４９・・・第２の空気室、５１・・・第２のシリコーン樹脂、５３・・・第３の空気室、５５・・・第２の４５度反射型ノッチフィルタ、５７・・・第４の空気室、５９・・・第５の空気室、６１・・・第２の色素含有シリコーン樹脂、６３・・・第６の空気室、６５・・・蛍光収集光学系、６７・・・ＬＩＦ用センサ、６９・・・ＬＩＦ用センサ６７の受光面、７１・・・測定器筐体、７３・・・導光部Ｅと第１の色素含有シリコーン樹脂の境界面、７５・・・第１のアパーチャ構造、７７・・・第１の空気室４７の斜面、７９・・・第１の色素含有シリコーン樹脂３３と第２の空気室４９との境界面、８１・・・第２の空気室４９と第２のシリコーン樹脂５１との境界面、８３・・・第２のシリコーン樹脂５１と第２の空気室４９の光出射側境界面、８５・・・第２のシリコーン樹脂５１と第３の空気室５３の斜面、８７・・・第２のシリコーン樹脂５１と第４の空気室５７の斜面、８９・・・第２のシリコーン樹脂５１と第５の空気室５９の光入射側境界面、９１・・・第２のシリコーン樹脂５１と第５の空気室５９との境界面、９３・・・第２の色素含有シリコーン樹脂６１と第５の空気室５９との境界面、９５・・・第２の色素含有シリコーン樹脂６１と第６の空気室６３の斜面、９７・・・第２のアパーチャ構造、９９・・・吸光測定光２７の光軸と蛍光２９の光軸を含む平面、１０１・・・迷光トラップ部、１０３・・・色素拡散抑制部材、１０５・・・第２吸光部、１０７・・・第２色素、２０１・・・光誘起蛍光測定装置、２０３・・・固体光源、２０５・・・試料保持部、２０７・・・固体光源２０５の光出射面、２０９・・・蛍光測定器、２１１・・・蛍光測定器２０９の受光面、２１３・・・筐体、２１５・・・ＰＣＲ管、２１７・・・吸光測定用白色光源、２１９・・・ＬＩＦ用光源、２２１・・・吸光センサ、２２３・・・ＬＩＦ用センサ、２２５・・・蛍光収集光学系、２２７・・・透明なシリコーン樹脂、２２９・・・黒色顔料を含有するシリコーン樹脂、２３１・・・ＬＩＦ用入射光導光窓、２３３・・・ＬＩＦ用測定光導光窓、２３５・・・吸光用入射光導光窓、２３７・・・吸光用測定光導光窓、２３９・・・入射光共用導光窓、Ａ〜Ｅ・・・導光部
【図１】
0006399520.tif 000002
【図２】
0006399520.tif 000003
【図３】
0006399520.tif 000004
【図４】
0006399520.tif 000005
【図５】
0006399520.tif 000006
【図６】
0006399520.tif 000007
【図７】
0006399520.tif 000008
【図８】
0006399520.tif 000009
【図９】
0006399520.tif 000010
【図１０】
0006399520.tif 000011